(57)【要約】【課題】筐体を可動させることなく送風範囲の調整が実現できる送風装置を提供することを目的とする。【解決手段】送風装置１は吸込口４と高圧空気発生部８と高圧空気を吹出す複数のノズル３と、流量調整部３０として流入口１１において開口面積を可変できる流入開口可変ダンパ機構３１をチャンバー空間９内に備えることにより、複数のノズル３から吹出す空気流の分布が一つのノズルを中心に形成されることで、最も大きい一次空気流２４が主流となり他の一次空気流２４を誘引するとともに、主流となる一次空気流２４の方向成分に他の一次空気流２４の方向成分が合成されることで送風範囲の調整が実現できる。【選択図】図３
2018003658.tif 000002
【特許請求の範囲】
【請求項１】
筐体に、空気を取り入れる吸込口と、高圧空気を発生するために少なくともひとつの羽根車と前記羽根車を駆動するために少なくともひとつのモータで構成された高圧空気発生部と、前記筐体の一面から起立させた複数のノズルを備え、前記ノズルは一側部に、前記ノズルを起立させた方向に対して垂直方向に前記高圧空気発生部で発生した高圧空気を吹出す吹出口を備え、前記ノズル内部に、高圧空気を前記吹出口に導くためのダクトを備え、前記ノズルは、前記垂直方向の断面が吹出方向に縦長であり、複数の前記ノズルに設けられているそれぞれの前記吹出口が同一面となるように間隙を設けて備えられ、複数の前記ノズルは前記筐体の中央から外側に向けて前記吹出口の吹き出し方向が外側へ離れていくよう広角に備えられており、前記間隙によって、前記吹出口から吹出す空気に誘引される空気の誘引風路が形成されている送風装置であって、前記高圧空気発生部と前記ノズルとの間に高圧空気の吹出し空気流量を調整できる流量調整部と、前記流量調整部で複数の前記ノズルから吹出す気流の分布が一つのノズルを中心に形成されるようにする流量分布制御手段とを備えたことを特徴とする送風装置。
【請求項２】
前記ノズルは前記高圧空気発生部で発生した高圧空気が流入する流入口を備え、前記流量調整部は、前記流入口に流入する空気流量を調整できる流入開口可変ダンパ機構であることを特徴とする請求項１に記載の送風装置。
【請求項３】
前記ノズルの前記吹出口が所定の幅の矩形であって、前記流量調整部は、前記ノズルの前記吹出口の幅を調整できるノズル幅可変ダンパ機構であることを特徴とする請求項１に記載の送風装置。
【請求項４】
前記高圧空気発生部が、前記羽根車一つと前記モータ一つで構成される送風手段を複数備え、複数の前記送風手段をそれぞれ個別に制御する送風制御手段を備えたことを特徴とする請求項１乃至３のいずれか一つに記載の送風装置。
【発明の詳細な説明】
【技術分野】
【０００１】
本発明は、居室内に設置され、直接気流による体感温度の減少や室内の空気の循環に使用される扇風機などの送風装置、および送風装置内に取り込む空気を浄化し、浄化された空気を吹出すことで室内の空気を浄化する送風機能付空気清浄装置に関するものである。
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている。
【０００３】
以下、その送風装置について図９および図１０を参照しながら説明する。
【０００４】
図９には、送風機組立体１００をその斜視図を、図１０には、基部１１６の断面図を示している。
【０００５】
送風機組立体１００は、中央開口部１０２を画定する環状ノズル１０１を有している。環状ノズル１０１は口１１２を有し、送風機組立体１００が口１１２から放出する空気流に外部空気を引き込むようにする中央開口部１０２を構成するように軸Ｘ回りに伸びている。また、環状ノズル１０１は、その表面に空気流を沿わせて空気流を軸Ｘ方向へ差し向けるよう配置され、かかる表面は、気流の下流側へ向けて軸Ｘから遠ざかるテーパ状のディフューザ部１３２とディフューザ部１３２から見ての下流側に位置するとともにこのディフューザ部１３２に対して前記テーパ状よりも広角に角度をなしたガイド部１３３とを有している。
【０００６】
また、図１０に示すように、送風組立体１００は、下部に配される基部１１６の内部に、空気流を生じさせるモータ１２２を有しており、モータ１２２から鉛直下方に伸びるモータ回転シャフト１２３にインペラ（羽根車）１３０が連結され、モータ１２２は、電気接続部及び電源に接続され、複数個の風量選択ボタン１２０により、ユーザは、送風機組立体１００を操作することができる。
【０００７】
また、送風組立体１００は、基部１１６よりも下方に、基部１１６のケーシング下部１１７と連結する首振りシャフト１４２を含む首振り機構１４０を備えている。基部１１６は首振り機構１４０と首振りシャフト１４２のみと連結し、首振り機構１４０は首振りシャフト１４２が首振りモータ１４１に対しクランクアーム機構を含む結合プレート１４３により連結されている。モータ１２２と同様に首振りモータ１４１も電気接続部及び電源に接続され、複数個の首振り選択ボタン１４４により、ユーザは送風組立体１００の首振り動作を操作することができる。
【０００８】
上記構成で、送風機組立体１００は、以下のように動作する。
【０００９】
ユーザが図９に示す複数個の風量選択ボタン１２０の中から任意のボタンを選択してモータ１２２が起動されると、空気が図１０に示す空気入口１２４を介して送風機組立体１００内に吸い込まれる。空気は、インペラ（羽根車）１３０により昇圧され、内部通路１１０を通って環状ノズル１０１まで送られ、口１１２から一次空気流として放出される。このとき、一次空気流はディフューザ部１３２の表面を沿うようにして流れることで軸Ｘ方向へ差し向けられる。また、一次空気流は、口１１２の周辺の外気空気を引き込むとともに、その外気空気の移動により環状ノズルの外縁部周りの空気が引き込まれることで生じる二次空気流を伴い、中央開口部１０２から軸Ｘ方向へ全空気流を放出する。ユーザは風量選択ボタン１２０により送風組立体１００から放出される風量を任意に選択できる。
【００１０】
また送風機組立体１００から放出される空気流の送風範囲は軸Ｘ方向へ中央開口部１０２の面積範囲で限定されるが、ここでユーザが図９に示す首振り選択ボタン１４４の中から任意のボタンを選択することで、首振り機構１４０を駆動させ、すなわち首振りモータ１４１が起動されると、首振りモータ１４１にクランクアーム機構を含む結合プレート１４３を介して連結した首振りシャフト１４２が回転することにより、基部１１６より上部の送風組立体１００が軸Ｙを軸に回転し、すなわち送風範囲が軸Ｙを軸に水平方向に回転することで、ユーザは送風範囲を任意に調整できる。（例えば、特許文献１参照）。
【先行技術文献】
【特許文献】
【００１１】
【特許文献１】特開２０１０−２０３４５０号公報
【発明の概要】
【発明が解決しようとする課題】
【００１２】
このような従来の送風装置では、一次空気流が環状ノズルの口から放出されることにより、二次空気流は外部環境、特に口周りの領域及び環状ノズルの外縁部周りの空気引き込まれることで全空気流が生じるものであるため、全空気流の送風方向は一次空気流が流れる軸Ｘの方向に限定され、かつ空気流の送風範囲は、軸Ｘ方向へ中央開口部１０２の面積範囲に限定されるので特許文献１のように首振り機構を備えることにより広範囲に空気流を提供できるとしているが、首振り機構のためにモータが必要となり、首振り機構自体が大きく重くなり、移動や持ち運びが煩雑になるという課題があった。
【００１３】
また、送風組立体１００が軸Ｙを軸に回転するため、居室内での日常生活空間において可動物が邪魔になるという課題があった。
【００１４】
そこで本発明は、上記課題を解決するものであり、複数のノズルを備え、そのノズルから放出される空気流量のバランスを可変制御することにより、筐体が可動するような首振り機構を備えることなく送風範囲を広範囲に調整できる送風機、および送風機能付空気清浄装置を提供することを目的とする。
【課題を解決するための手段】
【００１５】
そして、この目的を達成するために、本発明に係る送風装置は、筐体に、空気を取り入れる吸込口と、高圧空気を発生するために少なくともひとつの羽根車と前記羽根車を駆動するために少なくともひとつのモータで構成された高圧空気発生部と、前記筐体の一面から起立させた複数のノズルを備え、前記ノズルは一側部に、前記ノズルを起立させた方向に対して垂直方向に前記高圧空気発生部で発生した高圧空気を吹出す吹出口を備え、前記ノズル内部に、高圧空気を前記吹出口に導くためのダクトを備え、前記ノズルは、前記垂直方向の断面が吹出方向に縦長であり、複数の前記ノズルに設けられているそれぞれの前記吹出口が同一面となるように間隙を設けて備えられ、複数の前記ノズルは前記筐体の中央から外側に向けて前記吹出口の吹き出し方向が外側へ離れていくよう広角に備えられており、前記間隙によって、前記吹出口から吹出す空気に誘引される空気の誘引風路が形成されている送風装置であって、前記高圧空気発生部と前記ノズルとの間に高圧空気の吹出し空気流量を調整できる流量調整部と、前記流量調整部で複数の前記ノズルから吹出す空気流の分布が一つのノズルを中心に形成されるようにする流量分布制御手段とを備えたことを特徴とする送風装置としたものであり、これにより所期の目的を達成するものである。
【００１６】
また、高圧空気発生部は、羽根車とモータで構成される送風手段を複数備え、前記送風手段をそれぞれ個別に制御する送風手段制御手段を備えたことを特徴とする送風手段としたものであり、これにより所期の目的を達成するものである。
【発明の効果】
【００１７】
本発明によれば、筐体に、空気を取り入れる吸込口と、高圧空気を発生するために少なくともひとつの羽根車と前記羽根車を駆動するために少なくともひとつのモータで構成された高圧空気発生部と、前記筐体の一面から起立させた複数のノズルを備え、前記ノズルは一側部に、前記ノズルを起立させた方向に対して垂直方向に前記高圧空気発生部で発生した高圧空気を吹出す吹出口を備え、前記ノズル内部に、高圧空気を前記吹出口に導くためのダクトを備え、前記ノズルは、前記垂直方向の断面が吹出方向に縦長であり、複数の前記ノズルに設けられているそれぞれの前記吹出口が同一面となるように間隙を設けて備えられ、複数の前記ノズルは前記筐体の中央から外側に向けて前記吹出口の吹き出し方向が外側へ離れていくよう広角に備えられており、前記間隙によって、前記吹出口から吹出す空気に誘引される空気の誘引風路が形成されている送風装置であって、前記高圧空気発生部と前記ノズルとの間に高圧空気の吹出し空気流量を調整できる流量調整部と、前記流量調整部で複数の前記ノズルから吹出す空気流の分布が一つのノズルを中心に形成されるようにする流量分布制御手段とを備えたことにより、複数の前記ノズルそれぞれから吹出す空気流量を制御し、複数の前記ノズルから吹出す空気流の分布が一つのノズルを中心に形成されることで、吹出し空気流量の大きい前記ノズルの側へ全空気流が誘引されるので筐体を可動させることなく送風範囲を調整できるという効果を奏する。
【図面の簡単な説明】
【００１８】
【図１】本発明の実施の形態１の送風装置の斜視図
【図２】同実施の形態１の送風装置のＡ断面を示す構成図
【図３】同実施の形態１の送風装置のＢ断面を示す構成図
【図４】同実施の形態１の送風装置のＣ断面を示す構成図
【図５Ａ】同実施の形態１の送風装置の送風範囲ｕの状態を示すＤ断面図
【図５Ｂ】同実施の形態１の送風装置の送風範囲ｖの状態を示すＤ断面図
【図５Ｃ】同実施の形態１の送風装置の送風範囲ｗの状態を新消すＤ断面図
【図６】本発明の実施の形態２の流入開口可変ダンパ機構の拡大図
【図７Ａ】同実施の形態２の送風装置の送風範囲ｘの状態を示すＤ断面図
【図７Ｂ】同実施の形態２の送風装置の送風範囲ｙの状態を示すＤ断面図
【図７Ｃ】同実施の形態２の送風装置の送風範囲ｚの状態を示すＤ断面図
【図８】本発明の実施の形態３の送風装置のＢ断面を示す構成図
【図９】従来技術の一例を示す斜視図
【図１０】従来技術の一例を示す断面図
【発明を実施するための形態】
【００１９】
本発明の請求項１に係わる送風装置は、筐体に、空気を取り入れる吸込口と、高圧空気を発生するために少なくともひとつの羽根車と前記羽根車を駆動するために少なくともひとつのモータで構成された高圧空気発生部と、前記筐体の一面から起立させた複数のノズルを備え、前記ノズルは一側部に、前記ノズルを起立させた方向に対して垂直方向に前記高圧空気発生部で発生した高圧空気を吹出す吹出口を備え、前記ノズル内部に、高圧空気を前記吹出口に導くためのダクトを備え、前記ノズルは、前記垂直方向の断面が吹出方向に縦長であり、複数の前記ノズルに設けられているそれぞれの前記吹出口が同一面となるように間隙を設けて備えられ、複数の前記ノズルは前記筐体の中央から外側に向けて前記吹出口の吹き出し方向が外側へ離れていくよう広角に備えられており、前記間隙によって、前記吹出口から吹出す空気に誘引される空気の誘引風路が形成されている送風装置であって、前記高圧空気発生部と前記ノズルとの間に高圧空気の吹出し空気流量を調整できる流量調整部と、前記流量調整部で複数の前記ノズルから吹出す空気流の分布が一つのノズルを中心に形成されるようにする流量分布制御手段とを備えたことを特徴とするものである。
【００２０】
これにより、流量分布制御手段が流量調整部を制御し、複数のノズルそれぞれから吹出す空気流の分布が一つのノズルを中心に形成されると、吹出し空気流量が最も大きいノズルの吹出す一次空気流が周囲の空気を引き込む誘引力が最も大きくなるため、吹出し空気流量の小さいノズルの吹出す空気流が誘引され、吹出し空気流量の大きいノズルの側へ全空気流が誘引される。
【００２１】
このとき、複数あるノズルの内、両端部のノズルのいずれか一つが吹出す空気流量が最も大きくなると、そのノズルの吹出す一次空気流が主流となり他のノズルの吹出す空気流が誘引されるとともに、他のノズルの吹出す空気流の方向成分が主流の方向成分と合成されることで、全空気流がノズルの吹出し方向よりも更に外側へ吹出されることにより、筐体を可動させることなく送風範囲を調整ができるのである。ここで全空気流とは、ノズルの吹出す一次空気流と、一次空気流により引き込まれる周囲空気による二次空気流とを含むものとする。
【００２２】
また、本発明の請求項２に係わる送風装置は、前記ノズルは前記高圧空気発生部で発生した高圧空気が流入する流入口を備え、前記流量調整部は、前記流入口に流入する空気流量を調整できる流入開口可変ダンパ機構であることを特徴とするものである。
【００２３】
これにより、流量分布制御手段が、ぞれぞれのノズルの流入口に設けられた流入開口可変ダンパ機構により流入口の開度を可変制御する。すなわち最も空気流量を大きくしたいノズルの流入口を全開とし、段階的に流入口の開度を制御することで、複数のノズルから吹出す空気流の分布を形成する。
【００２４】
このとき、流量調整部が筐体内部に格納されるので、外観を損なうことなく送風範囲の調整ができるのである。
【００２５】
また、本発明の請求項３に係わる送風装置は、前記ノズルの前記吹出口が所定の幅の矩形であって、前記流量調整部は、前記ノズルの前記吹出口の幅を調整できるノズル幅可変ダンパ機構であることを特徴とするものである。
【００２６】
これにより、流量分布制御手段が、ぞれぞれのノズルの吹出口に設けられたノズル幅可変ダンパ機構により吹出口の幅を可変制御する。すなわち、最も空気流量を大きくしたいノズルの吹出口を全開とし、段階的に吹出口幅を制御することで、複数のノズルから吹出す空気流の分布を形成する。
【００２７】
このとき、ノズル幅可変ダンパ機構によっても複数のノズルそれぞれから吹出す空気流の分布が一つのノズルを中心に形成させることができるので、吹出す空気流の方向成分を調節して、より広範囲に送風範囲を調整できるのである。
【００２８】
また、本発明の請求項４に係わる送風装置は、前記高圧空気発生部が、前記羽根車一つと前記モータ一つで構成される送風手段を複数備え、複数の前記送風手段をそれぞれ個別に制御する送風制御手段を備えたことを特徴とするものである。
【００２９】
これにより、送風制御手段が、空気流量を大きくしたいノズル近傍の送風手段の出力を大きくし、吹出し空気流量を小さくしたいノズル近傍の送風手段の出力を小さくなるよう制御することができる。
【００３０】
このとき、流量調整部および流量分布制御手段と連動することで、吹出す空気流の分布の程度をより大きく調整することができ、より広範囲に送風範囲を調整できるのである。
【００３１】
また、得たい風量に合わせて送風手段の出力を調整することで消費電力の無駄を省き、静音化にも寄与する。
【００３２】
以下、本発明の実施の形態について図面を参照しながら説明する。
【００３３】
なお、重複を避けるため、全図面を通して、同一の部位については同一の符号を付して二度目以降の説明を省略する。
(実施の形態１)
以下、本発明の実施の形態１について、図１、図５Ａから図５Ｃを参照しながらその構成の詳細を説明する。
【００３４】
先ず、本実施の形態１の送風装置１の基本構成について説明する。
【００３５】
図１に示すように、本実施の形態１の送風装置１は、筐体２の上部一面から起立させた複数の等しい長さのノズル３（本実施の形態では６本）を備え、ノズル３は筐体２の上面から起立させている。
【００３６】
図２、３に示すように、筐体２には、筐体２に空気を取り入れる吸込口４と、高圧空気を発生するための羽根車５と該羽根車５を駆動するモータ６と羽根車ケーシング７とで構成された高圧空気発生部８とを備え、高圧空気発生部８で発生した高圧空気を複数のノズル３に分流させるチャンバー空間９とを備えている。
【００３７】
ノズル３は、内部にダクト１０と、底部に流入口１１とを備え、流入口１１とチャンバー空間９とが連通しており、高圧空気発生部８で発生した高圧空気はチャンバー空間９を経由して、流入口１１を通ってダクト１０内に流入することができる。
【００３８】
また図３に示す送風装置１の正面（図２の左側）に位置するノズル３の一側部には、ノズル３を起立させた方向に対して垂直方向である一方向に、ダクト１０を通ってきた高圧空気を吹出す吹出口１２を備えている。
【００３９】
ノズル３は、平面視で図４に示すように、ノズル３を起立させた方向に対して垂直方向の断面が吹出方向に縦長である。複数のノズル３は、それぞれの吹出口１２が同一面となるように間隙を設けて備えられ、この間隙によって、吹出口１２から吹出す空気流に誘引される空気の誘引風路２１がノズル３の外側に形成されている。つまり、本実施の形態１ではノズル３を６本設けているので、ノズル３に挟まれた空隙にそれぞれ誘引風路２１がノズル３の数より１本少ない５本形成できる。
【００４０】
なお、前記間隙の長さとしては、ノズル３のノズル３を起立させた方向に対して垂直方向の断面における吹出方向に対して垂直方向の長さ（ノズル３の幅）以上、ノズル３の筐体２上面からの起立方向の長さの半分以下であることが風速の均一性を得るためには好ましく、本実施の形態１では、一例としてノズル３の幅が３０ｍｍ、ノズル３の起立方向長さが６００ｍｍ、間隙の長さが１００ｍｍ、ノズル３の吹出方向長さが２００ｍｍの場合を示している。
【００４１】
また本実施の形態１では、ノズル３のノズル３を起立させた方向に対して垂直方向の断面形状は、長方形形状としたが、吹出し方向に縦長であればよく、楕円など別の形状でもよい。
【００４２】
また、複数のノズル３は、図４に示すように、筐体２の中央から外側に設けられたノズル３に向かうにつれて、中央のノズル３に対して空気の吹出し方向が外側へ離れて広角に広がるように備えられている。
【００４３】
ノズル３内の吹出口１２近傍には、図２に示すように、ノズル３の起立方向の風向を調整する風向調整リブ２３が備えられている。
【００４４】
ここで、複数のノズル３とは３本以上のことを示す。
【００４５】
また、風速の均一性とは後述する一次空気流２４と二次空気流２５とが合流した全空気流の面方向の風速分布に着目したもので、吹出口１２から所定の距離を離れて正面視する平面の所定範囲において観測される風速の分布が、一定の範囲内であることを意図する。すなわち前記平面の所定範囲における最小風速が最大風速の少なくとも半分までは許容するとしている。
【００４６】
また、高圧空気とは大気圧以上の空気を示すものとする。
【００４７】
次に、本実施の形態１の送風装置１の基本動作について説明する。
【００４８】
すなわち上記構成によれば、送風装置１が稼動すると、高圧空気発生部８においてモータ６が駆動し、羽根車ケーシング７内の羽根車５が回転することにより、室内空気は、吸込口４から送風装置１内部に取り込まれるとともに昇圧され高圧空気となり、内部流れ２２で示すようにチャンバー空間９へ流出する。
【００４９】
チャンバー空間９は複数のノズル３の複数の流入口１１全てと連通しており、流入口１１は同等の開口面積であるため、高圧空気は複数のダクト１０へそれぞれ殆ど同量に分流され、各ダクト１０を通過し、吹出口１２近傍に設けられた風向調整リブ２３でノズル３起立方向の風向を調整され、吹出口１２から一次空気流２４として放出されるのである。
【００５０】
そして図１に示すように、一次空気流２４により誘引風路２１と最外部のノズル３の外側の空気が誘引され、二次空気流２５となる。これら一次空気流２４と二次空気流２５が送風装置１の吹出方向前方で合流し全空気流となり、広範囲に略均一な風速の浄化された面気流として送風できるものである。
【００５１】
このとき、羽根車５は筐体２内に内包されているため、使用者が外部から接触できない構造となっているため、接触による不安感をなくすことができる。
【００５２】
また、吹出口１２を面一となるようにノズル３は間隙を設けて配置することで、吹出す気流は面気流となる。
【００５３】
また、風向調整リブ２３は仰角を調整することでノズル３の起立方向の風向を上方へ広げることができるため、ノズル３の起立方向長さより広範囲に送風することができる。すなわち、送風装置１の高さよりも上方にも送風することができる。
【００５４】
続いて本実施の形態１で特に重要な送風範囲を調整する構成について説明する。
【００５５】
図５に示すように、本実施の形態１の送風装置１では、流量調整部３０として各ノズル３の流入口１１において流入口１１の開口面積を可変できるような流入開口可変ダンパ機構３１をチャンバー空間９内に備えている。
【００５６】
流入開口可変ダンパ機構３１は、開口調整板３２と、開口調整板３２を駆動させる調整板モータ部３３と、調整板モータ部３３の駆動を制御する流量分布制御部３４とで構成される。図５Ａから図５Ｃにおいて各ノズルと３にたいする開口調整板３２の開口位置を示している。図中白抜き表示部分は開口位置を示している。
【００５７】
本実施の形態１の送風装置１では、流量分布制御部３４により調整板モータ部３３を駆動させ、開口調整板３２の位置を可変制御し、送風範囲を図中に示す送風範囲ｕの範囲、送風範囲ｖの範囲、送風範囲ｗの範囲、と調整するのである。
【００５８】
本実施の形態１の例では、開口調整板３２は所定箇所に開口を備えたシート状の柔軟な素材（例えば、布、フィルム）で、開口調整板３２の両端に開口調整板３２を巻き取りながら回転する調整板モータ部３３を設け、調整板モータ部３３は流量分布制御部３４により制御される構成としてる。
【００５９】
図５Ａから図５Ｃは、送風範囲を調整する際の開口調整板３２の位置と送風範囲を示している。
【００６０】
図５Ａは、中間位置での送風範囲ｕの時の開口調整板３２の位置を示している。このとき、各ノズル３の流入口１１の開口面積が等しく開口しているため、高圧空気は複数のダクト１０へそれぞれ殆ど同量に分流され、送風装置１の正面視で均一な面気流を得ることができる。
【００６１】
図５Ｂは、送風範囲ｖの時の開口調整板３２の位置を示している。
【００６２】
これは、流量分布制御部３４が軸Ｓの＋方向の調整板モータ部３３を駆動し回転させることで開口調整板３２を巻き取り、軸Ｓの−方向の調整板モータ部３３は駆動することはないが巻き付いていた開口調整板３２が引っ張り出されることで形成された状態である。
【００６３】
このとき、開口調整板３２により、軸Ｓの＋方向から−方向へ各ノズル３の流入口１１の開口度合が段階的に小さくなることにより、軸Ｓの＋方向から−方向へ各流入口１１から各ダクト１０に流入する高圧空気の流量が段階的に小さくなる。すなわち言い換えると、軸Ｓの＋方向最端のノズル３において一次空気流２４が最も大きくなり、軸Ｓの−方向最端のノズル３に向けて段階的に一次空気流２４が小さくなる。
【００６４】
ここで前述の通り、一次空気流２４により誘引風路２１と最外部のノズル３の外側の空気が誘引され、二次空気流２５が生じるのであるが、この二次空気流２５を生じさせる誘引力は一次空気流２４の大きさに比例するので、このように一次空気流２４の大きさに偏りが生じると、最も大きい一次空気流２４が主流となり他の一次空気流２４を誘引するとともに、主流となる一次空気流２４の方向成分に他の一次空気流２４の方向成分が合成されることで、中間位置である送風範囲ｕに対し送風範囲が軸Ｓの＋方向に広角に広がる送風範囲ｖとなり、送風装置１の正面視で軸Ｓの＋方向に広角に広がった均一な面気流を得ることができるのである。
【００６５】
図５Ｃは、送風範囲ｗの時の開口調整板３２の位置を示している。
【００６６】
これは、流量分布制御部３４が軸Ｓの−方向の調整板モータ部３３を駆動し回転させることで開口調整板３２を巻き取り、軸Ｓの＋方向の調整板モータ部３３は駆動することはないが巻き付いていた開口調整板３２が引っ張り出されることで形成された状態である。
【００６７】
このとき、開口調整板３２により、軸Ｓの−方向から＋方向へ各ノズル３の流入口１１の開口度合が段階的に小さくなることにより、軸Ｓの−方向から＋方向へ各流入口１１から各ダクト１０に流入する高圧空気の流量が段階的に小さくなる。すなわち言い換えると、軸Ｓの−方向最端のノズル３において一次空気流２４が最も大きくなり、軸Ｓの＋方向最端のノズル３に向けて段階的に一次空気流２４が小さくなる。これにより最も大きい一次空気流２４が主流となり他の一次空気流２４を誘引するとともに、主流となる一次空気流２４の方向成分に他の一次空気流２４の方向成分が合成されることで、中間位置である送風範囲ｕに対し送風範囲が軸Ｓの−方向に広角に広がる送風範囲ｗとなり、送風装置１の正面視で軸Ｓの−方向に広角に広がった均一な面気流を得ることができるのである。
【００６８】
以上のように、流入開口可変ダンパ機構３１により送風範囲は調整されるので、送風装置１は筐体２を可動させることなく送風範囲の調整が可能となる。
【００６９】
また本実施の形態１の送風装置１では、流入開口可変ダンパ機構３１が筐体２の内部に格納されるので、外観を損うことなく送風範囲の調整ができるのである。
(実施の形態２)
以下、本発明の実施の形態２について、図６および図７Ａから図７Ｃを参照しながらその構成の詳細を実施の形態１と異なる点のみについて説明する。
【００７０】
図６、図７Ａから図７Ｃに示すように、本実施の形態２の送風装置１では、流量調整部３０としてノズル幅可変ダンパ機構３６をノズル３の吹出口１２に備えている。ノズル幅可変ダンパ機構３６は、開口調整板３７を各ノズル３の吹出口１２の鉛直方向側面の両側に備え、開口調整板３７と調整板モータ部３８が鉛直方向に伸びたシャフト３９で連結しており、調整板モータ部３８の動きを開口調整板３７に伝え、調整板モータ部３８を流量分布制御部３４で制御する。
【００７１】
図７Ａから図７Ｃは、送風範囲を調整する際の開口調整板３７の位置と送風範囲を示している。
【００７２】
本実施の形態２の送風装置１では、流量分布制御部３４により調整板モータ部３８を駆動させ、シャフト３９に接続された開口調整板３７の角度を可変制御し、送風範囲を図中に示す送風範囲ｘの範囲、送風範囲ｙの範囲、送風範囲ｚの範囲、とで調整するのである。
【００７３】
本実施の形態２の例では、開口調整板３７ａおよび開口調整板３７ｂは吹出口１２の鉛直方向側面の側に備えられたシャフト３９ａおよびシャフト３９ｂに片端が連結した薄板構造であり、シャフト３９ａおよびシャフト３９ｂの回転と連動してその角度を変えることができ、シャフト３９ａおよびシャフト３９ｂの回転角度は調整板モータ部３８ａおよび調整板モータ部３８ｂで調整され、調整板モータ部３８ａおよび調整板モータ部３８ｂは流量分布制御部３４により制御される構成としている。
【００７４】
図７Ａから図７Ｃは、送風範囲を調整する際の開口調整板３７の位置と送風範囲を示している。
【００７５】
図７Ａは、中間位置で送風範囲ｘの時の開口調整板３７の位置を示している。このとき、各吹出口１２の開口面積が等しく開口しているため、複数の吹出口１２から殆ど同量の一次空気流２４を吹き出すことができるため、送風装置１は正面視で均一な面気流を得ることができる。
【００７６】
図７Ｂは、送風範囲ｙの時の開口調整板３７ａの位置を示している。
【００７７】
これは、流量分布制御部３４が調整板モータ部３８ａを駆動し、シャフト３９ａに連結した開口調整板３７ａが軸Ｓの＋方向へ所定角度だけ調整されることで形成された状態である。
【００７８】
このとき、軸Ｓの＋方向最端のノズル３から放出する一次空気流２４の吹出し方向に向けて各開口調整板３７ａの角度が調整される。すなわち軸Ｓの＋方向最端の開口調整板３７ａは角度調整されずそのままで、軸Ｓの−方向に向けてノズル３における開口調整板３７ａの調整角度が段階的に大きくなることで、吹出口１２の開口幅が軸Ｓの＋方向から−方向に向けて段階的に小さくなり、伴って軸Ｓの＋方向から−方向へ各吹出口１２から放出される一次空気流２４の流量が段階的に小さくなる。
【００７９】
これにより最も大きい一次空気流２４が主流となり他の一次空気流２４を誘引するとともに、主流となる一次空気流２４の方向成分に他の一次空気流２４の方向成分が合成されることで、中間位置である送風範囲ｘに対し送風範囲が軸Ｓの＋方向に広角に広がる送風範囲ｙとなり、送風装置１の正面視で軸Ｓの＋方向に広角に広がった均一な面気流を得ることができるのである。
【００８０】
図７Ｃは、送風範囲ｚの時の開口調整板３７の位置を示している。
【００８１】
これは、流量分布制御部３４が調整板モータ部３８ｂを駆動し、シャフト３９ｂに連結した開口調整板３７ｂが軸Ｓの−方向へ所定角度だけ調整されることで形成された状態である。
【００８２】
このとき、軸Ｓの−方向最端のノズル３から放出する一次空気流２４の吹出し方向に向けて各開口調整板３７ｂの角度が調整される。すなわち軸Ｓの−方向最端の開口調整板３７ｂは角度調整されずそのままで、軸Ｓの＋方向に向けてノズル３における開口調整板３７ｂの調整角度が段階的に大きくなることで、吹出口１２の開口幅が軸Ｓの−方向から＋方向に向けて段階的に小さくなり、伴って軸Ｓの−方向から＋方向へ各吹出口１２から放出される一次空気流２４の流量が段階的に小さくなる。
【００８３】
これにより最も大きい一次空気流２４が主流となり他の一次空気流２４を誘引するとともに、主流となる一次空気流２４の方向成分に他の一次空気流２４の方向成分が合成されることで、中間位置である送風範囲ｘに対し送風範囲が軸Ｓの−方向に広角に広がる送風範囲ｚとなり、送風装置１の正面視で軸Ｓの−方向に広角に広がった均一な面気流を得ることができるのである。
【００８４】
以上のように、ノズル幅可変ダンパ機構３６により送風範囲は調整されるので、送風装置１は筐体２を可動させることなく送風範囲の調整が可能となる。
【００８５】
本実施の形態２の送風装置１では、開口調整板３７の調整角度により一次空気流２４の吹き出し方向の調整が可能であるので、より広範囲に送風範囲を調整できるのである。
(実施の形態３)
以下、本発明の実施の形態３について、図８を参照しながらその構成の詳細を実施の形態１および実施の形態２と異なる点のみについて説明する。
【００８６】
本実施の形態３の送風装置１では、高圧空気発生部８において、高圧空気を発生するための羽根車５が一つと該羽根車５を駆動するモータ６が一つで対となった送風手段４１を二つ備え、送風手段４１を制御する送風制御部４２を備えた構成となっている。
【００８７】
これにより、流量分布制御部３４、および流入開口可変ダンパ機構３１または流入開口可変ダンパ機構３１と送風制御部４２とが連動して、軸Ｓの＋方向へ送風範囲を調整する際には、軸Ｓの＋方向の送風手段４１の出力が大きくなり、軸Ｓの−方向の送風手段４１の出力が小さくなるように制御する。
【００８８】
同様に、軸Ｓの−方向へ送風範囲を調整する際には、軸Ｓの−方向の送風手段４１の出力が大きくなり、軸Ｓの＋方向の送風手段４１の出力が小さくなるように制御する。これにより、より広範囲に送風範囲の調整が可能となる。
【００８９】
また、得たい風量に合わせて送風手段の出力を調整することで消費電力の無駄を省き、静音化にも寄与する。
【産業上の利用可能性】
【００９０】
本発明にかかる送風装置および送風機能付空気清浄装置は、羽根車を内包することで使用者の接触による不安感をなくしつつ、広範囲に略均一な風速の気流を提供でき、また筐体を可動させることなく送風範囲の調整ができるため、居室内の床や壁に設置され、直接気流による体感温度の減少や室内の空気の循環に使用される各種送風機器等として有用である。
【符号の説明】
【００９１】
１    送風装置
２    筐体
３    ノズル
４    吸込口
５    羽根車
６    モータ
７    羽根車ケーシング
８    高圧空気発生部
９    チャンバー空間
１０    ダクト
１１    流入口
１２    吹出口
２１    誘引風路
２２    内部流れ
２３    風向調整リブ
２４    一次空気流
２５    二次空気流
３０    流量調整部
３１    流入開口可変ダンパ機構
３２    開口調整板
３３    調整板モータ部
３４    流量分布制御部
３６    ノズル幅可変ダンパ機構
３７    開口調整板
３７ａ    開口調整板
３７ｂ    開口調整板
３８    調整板モータ部
３８ａ    調整板モータ部
３８ｂ    調整板モータ部
３９    シャフト
３９ａ    シャフト
３９ｂ    シャフト
４１    送風手段
４２    送風制御部
【図１】
2018003658.tif 000003
【図２】
2018003658.tif 000004
【図３】
2018003658.tif 000005
【図４】
2018003658.tif 000006
【図５Ａ】
2018003658.tif 000007
【図５Ｂ】
2018003658.tif 000008
【図５Ｃ】
2018003658.tif 000009
【図６】
2018003658.tif 000010
【図７Ａ】
2018003658.tif 000011
【図７Ｂ】
2018003658.tif 000012
【図７Ｃ】
2018003658.tif 000013
【図８】
2018003658.tif 000014
【図９】
2018003658.tif 000015
【図１０】
2018003658.tif 000016